(57)【要約】本発明は、ユーザ機器の電力消費を大きく増加させることなく、ユーザ機器におけるネットワーク関連サービスのパフォーマンスを日和見主義的に向上できる機構を提供することである。ユーザ機器に備えられた無線受信部を処理するユーザ機器における方法が提供される。無線受信部は、無線リンクによって第１ネットワークからの信号を受信するものとされる。ユーザ機器は電池をさらに備える。当該方法は、ユーザ機器における電池の電力消費の変化を検出するステップと、検出した電池の電力消費の変化に基づいて受信部アクティビティレベルを調節するステップとを含む。【選択図】図３
2011510557.tif 000002
【特許請求の範囲】
【請求項１】
ユーザ機器（１００）に備えられた無線受信部（７１０）を処理する前記ユーザ機器（１００）における方法であって、前記無線受信部（７１０）は無線リンク（１２０）によって第１ネットワーク（１１０）からの信号を受信し、前記ユーザ機器（１００）は電池（７１５）を備え、
前記ユーザ機器（１００）における前記電池（７１５）の電力消費の変化を検出するステップと、
検出した前記電池の電力消費の変化に基づいて受信部アクティビティレベルを調節するステップと
を含む方法。
【請求項２】
前記電池の電力消費の変化が所定の閾値を超えると、電池消費における変化が検出される、請求項１に記載の方法。
【請求項３】
前記ユーザ機器（１００）はローカルサービス（７６０）を使用し、前記電池の電力消費の変化を検出するステップは、前記ローカルサービス（７６０）のアクティビティにおける変化を検出することで表される、請求項１に記載の方法。
【請求項４】
前記ユーザ機器（１００）は第２ネットワーク（１４０）に接続され、前記ユーザ機器（１００）は、第２ネットワーク（１４０）によって提供される少なくとも１つのオンラインサービスを使用しており、前記検出するステップは、前記少なくとも１つのオンラインサービスの使用における変化を検出することで表される、請求項１に記載の方法。
【請求項５】
前記電池の電力消費の変化は、前記ユーザ機器（１００）において、前記ユーザ機器（１００）に備えられたオペレーティングシステム（７５０）によってモニタされる、請求項２〜４のいずれか１項に記載の方法。
【請求項６】
前記受信部アクティビティレベルは、前記第１ネットワーク（１１０）に含まれたネットワークノード（１３０）によって割り当てられた不連続受信（ＤＲＸ）サイクル長で表され、
前記電池の電力消費の変化を示す情報を含むメッセージを前記ネットワークノード（１３０）へ送信するステップと、
前記情報に基づいて前記ネットワーク（１３０）から調節されたＤＲＸサイクル長を受信するステップであって、前記受信部アクティビティレベルを調節するステップは前記調節されたＤＲＸサイクル長に基づいたものであるステップと
をさらに含む、請求項１〜５のいずれか１項に記載の方法。
【請求項７】
前記メッセージは、前記ユーザ機器（１００）によって判定された提案ＤＲＸサイクル長をさらに含む、請求項６に記載の方法。
【請求項８】
前記検出するステップは、前記ユーザ機器（１００）の電池の電力消費の変化が減少を表し、前記調節するステップは、前記受信部アクティビティレベルが前記ＤＲＸサイクル長の増加となる、請求項６〜７のいずれか１項に記載の方法。
【請求項９】
前記検出するステップは、前記ユーザ機器（１００）の電池の電力消費の変化が増加を表し、前記調節するステップは、前記受信部アクティビティレベルが前記ＤＲＸサイクル長の減少となる、請求項６〜７のいずれか１項に記載の方法。
【請求項１０】
前記ネットワークノード（１３０）へメッセージを送信するステップはアップリンク送信を待機する、請求項６〜７のいずれか１項に記載の方法。
【請求項１１】
前記受信部アクティビティレベルは不連続受信（ＤＲＸ）サイクル長で表され、
第１の事前設定のＤＲＸサイクル長と第２の事前設定のＤＲＸサイクル長とを含む少なくとも２つの事前設定のＤＲＸサイクル長を、前記検出するステップの前に前記ネットワークノード（１３０）から受信するステップと、
前記電池の電力消費の変化を示す情報を含むメッセージを前記ネットワークノード（１３０）へ送信するステップと
をさらに含む、請求項１〜５のいずれか１項に記載の方法。
【請求項１２】
前記調節するステップは、少なくとも２つの事前設定のＤＲＸサイクル長のうちの１つへ切り替えることによって行われる、請求項１１に記載の方法。
【請求項１３】
前記メッセージは、第１のＤＲＸサイクル長から第２のＤＲＸサイクル長へ切り替えさせる要求をさらに含み、
前記要求の拒否を含むメッセージを前記ネットワークノード（１３０）から受信するステップ
をさらに含む、請求項１１に記載の方法。
【請求項１４】
前記メッセージは、前記第１のＤＲＸサイクル長から前記第２のＤＲＸサイクル長へ切り替えさせる要求をさらに含み、
前記調節するステップの前に行われるステップであり、前記第１の事前設定のＤＲＸサイクル長から前記第２の事前設定のＤＲＸサイクル長へ切り替えさせる命令を含む受入メッセージを前記ネットワークノード（１３０）から受信するステップ
をさらに含む、請求項１１〜１２のいずれか１項に記載の方法。
【請求項１５】
ユーザ機器（１００）における無線受信部（７１０）を処理するネットワーク（１００）に含まれたネットワークノード（１３０）における方法であって、前記ネットワークノード（１３０）および前記ユーザ機器（１００）は無線通信ネットワークに含まれており、
前記ユーザ機器（１００）における電池（７１５）の第１特定電力消費を第１受信部アクティビティレベルに関連させるステップと、
前記ユーザ機器（１００）の前記第１受信部アクティビティレベルに関連する電池（７１５）の前記第１特定電力消費についての情報を送信するステップと
を含む方法。
【請求項１６】
前記関連させるステップの前に行われるステップであって、前記ユーザ機器（１００）の前記第１特定電池電力消費についての情報を含むメッセージを前記ユーザ機器（１００）から受信するステップをさらに含み、
前記情報を送信するステップは、前記第１受信部アクティビティレベルを使用させる命令をさらに含む、請求項１５に記載の方法。
【請求項１７】
前記ユーザ機器（１００）における電池（７１５）の第２特定電力消費を第２受信部アクティビティレベルに関連させるステップと、
前記第２受信部アクティビティレベルに関連する前記電池（７１５）の前記第２特定電力消費についての情報を前記ユーザ機器（１００）へ送信するステップと
をさらに含む、請求項１５〜１６のいずれか１項に記載の方法。
【請求項１８】
前記ユーザ機器（１００）における電池の電力消費が前記第１特定電池電力消費から前記第２特定電池電力消費へ変化することを示す情報を含むメッセージを、前記ユーザ機器（１００）から受信するステップをさらに含む、請求項１７に記載の方法。
【請求項１９】
前記第２特定電池電力消費に関連する前記第２受信部アクティビティレベルへ調節するステップをさらに含む、請求項１７〜１８のいずれか１項に記載の方法。
【請求項２０】
前記メッセージは、前記受信部アクティビティレベルを前記第１受信部アクティビティレベルから前記第２受信部アクティビティレベルへ変化させる要求をさらに含み、
前記調節するステップの前に行われるステップであって、前記要求の拒否を前記ユーザ機器（１００）へ送信するステップをさらに含む、請求項１７〜１８のいずれか１項に記載の方法。
【請求項２１】
前記メッセージは、前記受信部アクティビティレベルを前記第１受信部アクティビティレベルから前記第２受信部アクティビティレベルへ変化させる要求をさらに含み、
前記ユーザ機器（１００）に命令して、前記第２特定電池電力消費に関連する前記第２受信部アクティビティレベルを使用させるステップをさらに含む、請求項１７〜１９のいずれか１項に記載の方法。
【請求項２２】
無線受信部（７１０）を備えるユーザ機器（１００）であって、前記無線受信部（７１０）は、無線リンクによって第１ネットワーク（１１０）に含まれたネットワークノード（１３０）からの信号を受信し、
前記ユーザ機器（１００）の電池（７１５）の電力消費の変化を検出する検出部（７２０）と、
検出した前記電池の電力消費の変化に基づいて受信部アクティビティレベルを調節する調節部（７４０）と
を備えるユーザ機器（１００）。
【請求項２３】
前記受信部アクティビティレベルは、前記ネットワークノード（１３０）によって割り当てられたＤＲＸサイクル長で表され、
前記電池の電力消費の変化を示す情報を含むメッセージを前記ネットワークノード（１３０）へ送信する送信部（７３０）と、
前記情報に基づいて前記ネットワークノード（１３０）から調節されたＤＲＸサイクル長を受信する受信部（７１０）と
をさらに備え、
前記調節部（７４０）は、さらに、調節された前記ＤＲＸサイクル長に基づいて前記受信部アクティビティレベルを調節する、請求項２２に記載のユーザ機器（１００）。
【請求項２４】
前記受信部アクティビティレベルはＤＲＸサイクル長で表され、前記無線受信部（７１０）は、さらに、第１の事前設定のＤＲＸサイクル長と第２の事前設定のＤＲＸサイクル長とを含む少なくとも２つの事前設定のＤＲＸサイクル長を受信する、請求項２２〜２３のいずれか１項に記載のユーザ機器（１００）。
【請求項２５】
前記調節部（７４０）は、前記少なくとも２つの事前設定のＤＲＸサイクル長のうちの１つへ切り替えることによって、前記受信部アクティビティレベルを調節する、請求項２４に記載のユーザ機器。
【請求項２６】
前記ネットワークノード（１３０）への前記メッセージは、前記第１の事前設定のＤＲＸサイクル長から前記第２のＤＲＸサイクル長へ切り替えさせる要求をさらに含み、前記無線受信部（７１０）は前記ネットワークノード（１３０）からのメッセージを受信し、前記ネットワークノード（１３０）からの前記メッセージは前記要求の拒否を含む、請求項２４に記載のユーザ機器（１００）。
【請求項２７】
前記ネットワークノード（１３０）への前記メッセージは、前記第１の事前設定のＤＲＸサイクル長から前記第２のＤＲＸサイクル長さへ切り替えさせる要求をさらに含み、前記無線受信部（７１０）は前記ネットワークノード（１３０）から受入メッセージを受信し、前記ネットワークノード（１３０）からの前記メッセージは、前記第１の事前設定のＤＲＸサイクル長から前記第２のＤＲＸサイクル長へ切り替えさせる命令を含む、請求項２４〜２５のいずれか１項に記載のユーザ機器（１００）。
【請求項２８】
ユーザ機器（１００）における無線受信部（７１０）を処理するネットワークノード（１３０）であって、前記ネットワークノード（１３０）および前記ユーザ機器（１００）は無線通信ネットワークに含まれており、
前記ユーザ機器（１００）における電池（７１５）の第１特定電力消費を第１受信部アクティビティレベルに関連させる関連部（９２０）と、
前記第１受信部アクティビティレベルに関連している電池の前記第１特定電力消費についての情報を前記ユーザ機器（１００）へ送信する送信部（９３０）と
を備えるネットワークノード（１３０）。
【請求項２９】
前記ユーザ機器（１００）の前記第１特定電池電力消費についての情報を含むメッセージを前記ユーザ機器（１００）から受信する受信部（９１０）をさらに備え、
前記送信部（９３０）によって送信される前記情報は、前記第１受信部アクティビティレベルを使用させる命令をさらに含む、請求項２８に記載のネットワークノード（１３０）。
【請求項３０】
前記関連部（９２０）は、さらに、前記ユーザ機器（１００）における前記電池の第２特定電力消費を第２受信部アクティビティレベル関連させ、前記送信部（９３０）は、さらに、前記第２受信部アクティビティレベルに関連する前記電池（７１５）の前記第２特定電力消費についての情報を前記ユーザ機器（１００）へ送信する、請求項２８〜２９のいずれか１項に記載のネットワークノード（１３０）。
【請求項３１】
前記受信部（９１０）は、さらに、前記ユーザ機器（１００）からメッセージを受信し、前記メッセージは、前記第１特定電池電力消費から前記第２特定電池電力消費への前記ユーザ機器（１００）の電池の電力消費の変化を示す情報を含み、
前記第１受信部アクティビティレベルから前記第２受信部アクティビティレベルへ調節する調節部（９４０）をさらに備える、請求項２９〜３０のいずれか１項に記載のネットワークノード（１３０）。
【請求項３２】
前記ユーザ機器（１００）は第２ネットワーク（１４０）におけるサービスを使用し、前記受信部（９１０）は、さらに、前記第２ネットワーク（１４０）からのメッセージを受信し、前記メッセージは、前記ユーザ機器（１００）が前記第２特定電池電力消費を使用しているという情報を含み、前記送信部（９３０）は、さらに、前記第２特定電池電力消費に関連する前記第２受信部アクティビティレベルを前記ユーザ機器（１００）に使用させる命令を送信する、請求項２９〜３０のいずれか１項に記載のネットワークノード（１３０）。
【発明の詳細な説明】
【技術分野】
【０００１】
本発明はユーザ機器およびその方法に関する。本発明は、さらにネットワークノードおよびその方法に関する。特に、本発明は、ユーザ機器に備えられた受信部のアクティビティレベルの調節に関する。
【背景技術】
【０００２】
グローバルシステムフォーモバイルコミュニケーションズ（GSM：Global  System  for  Mobile  communications）、広帯域符号分割多元アクセス（WCDMA：Wideband  Code  Division  Multiple  Access）、ロングタームエボリューション（LTE：Long  Term  Evolution）などの無線通信システムにおいては、不連続受信（DRX：discontinuous  reception）によって、ユーザ機器の電池消費を節約することが可能となる。ネットワークにおいて、その加入者が不必要に電池を再充電する必要がなく、望めばいつでもネットワークサービスにアクセスすることが可能であると確かめるには、ユーザ機器の電池の寿命が重要である。ＤＲＸサイクルは、どの種類のオンラインサービスに目下アクセス中であるかに応じて、ユーザ機器の無線受信部のアクティビティを調節する。ＤＲＸオペレーションは、アイドル状態や低アクティビティ状態のみではなく、接続モードでも使用可能である。原理的には、これにより、ネットワークにおいて、アイドルモードおよび接続モードでのユーザ機器の電力消費を、全体的にかなり制御することが可能となる。
【０００３】
低アクティビティ状態では、ＤＲＸを用いて、ユーザ機器の電池の電力消費を節約する。かかる状態では、ユーザ機器は、実際のＤＲＸ状態に応じて、明確に定められた周期的インスタンスにおいてのみ、ページングや非常に短いパケットを受信することが可能である。ＤＲＸオペレーションの周期性はＤＲＸサイクルによって定められるものであり、ＤＲＸサイクルはネットワークによって設定される。典型的なＤＲＸサイクルとしては、例えば０．１秒〜１０秒の範囲などとすることができる。ＷＣＤＭＡおよびＬＴＥの双方においてＤＲＸサイクルはユーザ固有のものである。つまり、同一セル内の異なるユーザは個別にＤＲＸサイクルが割り当てられるということである。ＤＲＸサイクルは、登録時にユーザ機器に初期割当がされるが、後にいつでもネットワークによって変更（短縮または拡張）可能である。また、ＤＲＸサイクルは、コアネットワークによって、上位レイヤプロトコルシグナリングを用いた非アクセス層（NAS：non  access  stratum）手続によって割り当てることも可能である。
【０００４】
低アクティビティ状態では、ユーザ機器は、いつ、どのセルに再選択するか自動的に決める。ブロードキャスとされたシステムパラメータいくつかとパフォーマンス仕様とによって、ある程度はユーザ機器のモビリティの挙動が制御される。ユーザ機器におけるセルの再選択は、いくつかのダウンリンク測定に依存する。より具体的には、例えば無線条件が最良のセルなどのような正しいセルに留まるため、ユーザ機器は、定期的に１）新たな隣接セルの識別、２）識別した隣接セルのダウンリンク測定の２つの重要なタスクを行う。この２つのタスクはユーザ機器によって並行して実行される。また、ユーザ機器は、少なくともある個数、例えばＷＣＤＭＡでは８個、のセルに対して、その識別および隣接セル測定について記録をつけておかなければならない。
【０００５】
低アクティビティ状態では、ユーザ機器は、ページング時や、いわゆるウェークアップインスタンス間、すなわちユーザ機器がウェークアップして、予期されるページングやその他の関連情報の聴取を行う時間に、セル識別および隣接セル測定を行う。一般的に、ウェークアップインスタンスは非常に短く、例えば１ｍｓよりも短いものである。これについては、ユーザ機器はある時間で十分な数の測定サンプルを収集することができないため、測定パフォーマンスに直接的な影響がある。より具体的には、測定パフォーマンスにおける次の側面に影響がある。１）セル識別遅延が拡張される（例えば数秒まで）。２）測定量の測定精度が悪くなる。３）望ましい測定精度が定められた測定量の物理レイヤ測定期間。ユーザ機器は、ページング時にのみウェークアップすることは許可されていない。しかしながら、実際の実装においては、ユーザ機器はスリープ期間中にできる限り受信部のスイッチを入れないようにするであろう。非常に長いＤＲＸサイクル（例えば５秒）では、ユーザ機器は、ページング間に数度ウェークアップして、測定を行い、少なくともいくつかの最小測定量が維持されていることを確かめるものとすることができる。最後の２つの側面（精度および測定期間）については、ある程度のトレードが可能である。すなわち、測定期間が短ければ精度も比較的悪くなるが、逆も真である。例えばＷＣＤＭＡでは、上述の測定パフォーマンスの側面すべてが、アクティブモードまたは接続モードで達成可能なものよりも悪く、さらにもっと強烈な測定サンプリングレートとなることもあり得る。
【０００６】
ページング受信やデータの到着において、ユーザ機器は、アイドルまたは低アクティビティ状態から高アクティビティ状態へ、または直接的にアイドルからアクティブ状態へ状態を変える必要がある。ＤＲＸサイクルが明らかに長ければ、アイドルから高アクティビティ状態への遷移も長くなる。言い換えると、着信コールまたはデータへのアクセスにおける遅延が長くなる。通話や古典的パケットデータなどの従来のサービスにおいては、この遅延は深刻な影響がある。しかしながら、オンラインゲームなどのいくつかの高度なサービスにおいては、遷移はできる限りはやくすべきである。
【０００７】
ＷＣＤＭＡでは、アクティブモード、あるいはいわゆる無線リソース制御（RRC：Radio  Resource  Control）接続モードにおけるＤＲＸによって、ユーザ機器は、ＤＲＸサイクルにしたがって周期的なインスタンスにおいてのみウェークアップするため、接続されたままである間は電池を節約することが可能となる。アクティブモードにおけるＤＲＸオペレーションはＬＴＥでも使用される。ＤＲＸサイクルおよび関連パラメータの基本設定は、ＬＴＥでもＷＣＤＭＡでもＲＲＣシグナリングによって行われる。しかし、依然としてある程度は、ＤＲＸオペレーションは基地局とユーザ機器との間で下位レイヤシグナリングによって直接的に制御される。これによって、ネットワークがＤＲＸオペレーションの作動および停止を敏速に行うことが可能となる。
【０００８】
アクティブモードまたは接続モードでは、ユーザ機器は、ハンドオーバを可能にするために測定を行わなければならない。アイドルモードの場合のように、ユーザ機器はアクティブモードにおいて主に以下の２つのタスクを行う。１）新たな隣接セルの識別。２）識別した隣接セルのダウンリンク測定。
【０００９】
ＤＲＸ特徴は、ユーザ機器がほとんどウェークアップインスタンスにおいて測定サンプルを収集することを示す。したがって、ＷＣＤＭＡにおける測定の必要性はＤＲＸモードにおいて和らいだ。つまり、ＤＲＸではセル識別および測定報告遅延がもっと長くなるということである。例えば、測定報告遅延は、ＷＣＤＭＡにおいてあり得る最悪のＤＲＸシナリオ、すなわちあり得る最長のＤＲＸの終わりでのみユーザ機器がウェークアップする場合だと、２００ｍｓ（連続受信モードにおいて）から５、６秒程度まで拡張される。ハンドオーバは、データの損失を避けるため、遅延すべきものではない。したがって、アクティブモードにおけるモビリティの影響は、アイドルモードにおいてさらに深刻なものとなる。
【００１０】
アイドルモードとアクティブモードとの間の相違点の１つは、後者の場合は一般的に用いるＤＲＸサイクルがもっと短いということである。ＬＴＥでは、最大で１秒程度のＤＲＸサイクルが想定される。しかしながら、サービスへのアクセスにおける遅延は、連続受信のシナリオと比較すると不可避である。ゲームやボイスオーバＩＰなど、サービスによっては、遅延は最小化すべきである。別の問題として、ＤＲＸが原因で、特により長いＤＲＸの場合に、ネットワークがチャネル依存スケジューリングの特性を完全に利用することができないこともある。これによって、連続受信のシナリオと比較するといくらかスループットが劣化してしまう場合がある。
【００１１】
過去において、ユーザ機器の主な目的は、音声にアクセスすることであり、また後には、ネットワークオペレータによって加入者へ提供されるデータサービスにもアクセスすることであった。かかるサービスをオンラインサービスということにする。従来のセル電話や、現在においてもローエンドユーザ機器は、主にオンラインサービスにアクセスするものとして設計されている。しかしながら、現在のユーザ機器や、特に将来のユーザ機器は、１）オフラインすなわちローカルサービスと２）同一端末における複数のオンラインサービス技術という少なくとも２つの進化的特徴を結合させている。ネットワークの介入なくアクセスされるため、ある特定のユーザ機器に存在して、加入者によってアクセスされるということがオペレータに透過的であるローカルサービスおよび特徴を提供するということについて、セル電話技術は劇的に進化した。ローカルサービスの周知例としては、ＭＰ３プレーヤなどの音楽、デジタルカメラ、ラジオ、ワードプロセッサ、アドバンストカルキュレータ、オフラインゲームなどがある。ユーザ機器の従来の概念はフルスケールコンピュータへと変わりつつある。ユーザ機器の共通カテゴリとしては、携帯情報端末、スマートフォン、ポケットコンピュータ、パームコンピュータなどがある。別の主なステップは、同一のユーザ機器が複数の技術を支援可能なものとすることである。典型例は、
・ユニキャストサービス用にＴＤＤ／ＦＤＤ（時分割二重（Time  Division  Duplex）／周波数分割二重（Frequency  Division  Duplex））ＷＣＤＭＡと、ブロードキャストサービス用にＤＶＢ−Ｈ
・ユニキャストサービス用にＴＤＤ／ＦＤＤ  ＷＣＤＭＡと、（異なるキャリアで）ＦＤＤ／ＴＤＤ  ＭＢＳＦＮ
・ユニキャスト／ブロードキャスト用にＴＤＤ／ＦＤＤ  ＬＴＥと、ブロードキャストサービス用にＤＶＢ−Ｈ
の組合せである。第１に、すべてのオペレータがすべてのカテゴリおよび組合せの技術に関するサービスを提供するという可能性は低い。第２に、かかるサービスのうちのいくつかをオペレータが提供するとしても、加入者のアクティビティや、ユーザ機器で利用可能な他のあり得る技術を、個々のネットワーク（特に下位プロトコルレイヤ）が認識することは、依然として不可能である場合がある。加えて、経済的な理由などから、加入者が同一のサービスプロバイダからのすべてのサービスにアクセスすることを選択しないこともあろう。最後に、加入者は異なる技術で提供されたサービスに独立にアクセスすることも可能である。
【００１２】
複数のローカルサービスおよび技術を有する高度なユーザ機器は高価である。したがって、加入者は、例えばモビリティやローカルサービスなどのすべての観点から全体的に良好な全体的なパフォーマンスを期待するであろう。さらに、加入者は、ユーザ機器をより習慣的に複数のタスクに使用する傾向がある。しかし、この手法は、頻繁な作動のためにユーザ機器の電池を消耗させることになる。また、加入者は、家にいるときよりもむしろ、あちこち移動するときの方がローカル特徴をより頻繁に使用するという傾向もある。例えば、ユーザは、車の運転中やブラブラしている間にはユーザ機器を使用して音楽を再生したり写真を撮ったりすることを好む場合があるが、例えばパーティに出席する際には独立型の音楽プレーヤやカメラを使用することを好む場合がある。明らかに、モビリティの間は、ユーザ機器が行う同期や測定などに関する精度および遅延のレベルは危機的になる。
【００１３】
ＷＯ００／２２８３７では、移動局に可変スリープモードを設け、移動局のオペレーションに関する１または２以上の条件に応じて移動局のスリープサイクルを最適に変えることができる。ＷＯ００／２２８３７では、サービス品質／遅延を改善することによって、電池消費が増加してしまう。ＷＯ００／２２８３７の可変スリープモード機能は、ある特定のユーザ／移動局の個別の目的および／または条件にしたがって、電池消費とサービス品質／遅延との間のトレードオフの最適化を可能とする。
【発明の概要】
【発明が解決しようとする課題】
【００１４】
本発明の課題は、日和見主義的に、ユーザ機器の電力消費を大きく増加させることなく、ユーザ機器におけるネットワーク関連サービスのパフォーマンスを向上できる機構を提供することである。
【課題を解決するための手段】
【００１５】
本発明の第１の観点によれば、ユーザ機器に備えられた無線受信部を処理するユーザ機器における方法によって課題が解決される。無線受信部は無線リンクによって第１ネットワークからの信号を受信する。ユーザ機器は電池をさらに備える。当該方法は、
ユーザ機器における電池の電力消費の変化を検出するステップと、
検出した電池の電力消費の変化に基づいて受信部アクティビティレベルを調節するステップと
を含む。
【００１６】
本発明の第２の観点によれば、ユーザ機器における無線受信部を処理するネットワークに含まれたネットワークノードにおける方法によって課題が解決される。ネットワークノードおよびユーザ機器は無線通信ネットワークに含まれる。当該方法は、
ユーザ機器における電池の第１特定電力消費を第１受信部アクティビティレベルに関連させるステップと、
ユーザ機器の第１受信部アクティビティレベルに関連する電池の第１特定電力消費についての情報を送信するステップと
を含む。
【００１７】
本発明の第３の観点によれば、無線受信部を備えるユーザ機器によって課題が解決される。無線受信部は、無線リンクによって第１ネットワークに含まれたネットワークノードからの信号を受信する。ユーザ機器は、
ユーザ機器における電池の電力消費の変化を検出する検出部と、
検出した電池の電力消費の変化に基づいて受信部アクティビティレベルを調節する調節部と
を備える。
【００１８】
本発明の第４の観点によれば、ユーザ機器における無線受信部を処理するネットワークノードによって課題が解決される。ネットワークノードおよびユーザ機器は無線通信ネットワークに含まれる。ネットワークノードは、
ユーザ機器における電池の第１特定電力消費を第１受信部アクティビティレベルに関連させる関連部と、
第１受信部アクティビティレベルに関連している電池の第１特定電力消費についての情報をユーザ機器へ送信する送信部と
を備える。
【発明の効果】
【００１９】
電池の電力消費における増加を検出することによって、ユーザ機器はこの機会を利用して、新たな電池の電力消費へ調節することによって、無線受信部の受信アクティビティを増加させることができる。これによって、ユーザ機器は、ユーザ機器の電池の電力消費を大きく増加させることなく、ネットワーク関連サービスのパフォーマンスを改善することが可能となる。
【図面の簡単な説明】
【００２０】
【図１】図１は、無線通信ネットワークの実施形態を示すブロック図である。
【図２】図２は、方法ステップの実施形態を示すフローチャートである。
【図３】図３は、方法ステップの実施形態および信号の交換を示す組合せフローチャートおよびシグナリング図である。
【図４】図４は、方法ステップの実施形態および信号の交換を示す組合せフローチャートおよびシグナリング図である。
【図５】図５は、方法ステップの実施形態および信号の交換を示す組合せフローチャートおよびシグナリング図である。
【図６】図６は、ユーザ機器における方法ステップの実施形態を示すフローチャートである。
【図７】図７は、ユーザ機器の実施形態を示すブロック図である。
【図８】図８は、ネットワークノードにおける方法ステップの実施形態を示すフローチャートである。
【図９】図９は、ネットワークノードの実施形態を示すブロック図である。
【発明を実施するための形態】
【００２１】
図１は、無線リンク１２０によって第１ネットワーク１１０からの信号を受信するユーザ機器１００を示している。ユーザ機器１００としては、例えば携帯情報端末、スマートフォン、ポケットコンピュータ、パームコンピュータなどが挙げられる。第１ネットワーク１１０はネットワークノード１３０を含む。ネットワークノード１３０としては、例えばＳＧＳＮサーバ、基地局、無線ネットワークコントローラ、アクセスゲートウェイなどが挙げられる。ネットワークノード１３０は、ユーザ機器１００に備えられた無線受信部におけるアクティビティを制御するものである。第１ネットワーク１１０におけるネットワークノード１３０は、さらに、第２ネットワーク１４０からの信号を受信するものとされる。ユーザ機器１００は、さらに、無線リンク１４５によって第２ネットワーク１４０からの信号を受信するものとすることもできる。第１ネットワーク１１０および第２ネットワーク１４０としては、例えばＧＳＭネットワーク、ＷＣＤＭＡネットワーク、ＬＴＥネットワークが挙げられる。ユーザ機器は無線受信部を備えており、無線受信部は、例えば電池を節約するために、受信部アクティビティレベルを調節するものである。ユーザ機器１００は、さらに、例えば音楽プレーヤ、デジタルカメラ、ラジオ、オフラインゲームなどのローカルサービスを少なくとも１つ備える。ユーザ機器１００は、第１ネットワーク１１０および／または第２ネットワーク１４０のいずれかによって提供される通話、ビデオストリーミング、インターネットアクセス、モバイルテレビジョンなどのオンラインサービスを少なくとも１つ使用するものとされる。ユーザ機器１００は、さらに、無線受信部のアクティビティレベルを調節するものとされる。ネットワークノード１３０は、ユーザ機器１００における第１特定電池電力消費を無線受信部の第１アクティビティレベルに関連させ、ユーザ機器１００における第２特定電池電力消費を無線受信部の第２アクティビティレベルに関連させるものとすることもできる。第１ネットワーク１１０におけるネットワークノード１３０は、さらに、無線受信部の第１アクティビティレベルから第２アクティビティレベルへ調節するものとすることもできる。
【００２２】
図２は、いくつかの一般的な実施形態にしたがって、ユーザ機器１００に備えられた無線受信部を処理する方法を示している。このシナリオにおいて、ユーザ機器１００は、第１ネットワーク１１０による関与や知識なく、ユーザ機器１００における無線受信部のアクティビティレベルを調節する。この方法は以下のステップを含む。
【００２３】
２０１．このステップでは、ユーザ機器１００が電池の電力消費の変化を検出する。ユーザ機器１００における第１のローカルサービスの使用をユーザが開始すると、この使用によってユーザ機器の電池の電力消費が増加することがある。ユーザ機器１００は、例えば、電池の電力消費の変化が所定の閾値を超えた時を検出することによって、この増加を検出することができる。
【００２４】
２０２．ステップ２０１におけるローカルサービスの使用によって引き起こされた電池の電力消費の増加に応じて、ユーザ機器１００はこの機会を利用して、無線受信部のアクティビティレベルを自動的に調節することができる。アクティビティが増加すれば、ユーザ機器１００は、ユーザ機器１００の電池から追加電力を全くまたはほとんど消費せずに、例えば１）セルの同期または再同期、２）サービングセルおよびネイバリングセルのダウンリンク測定、および／または３）ドップラ推定のパフォーマンスを改善する機会が与えられる。上記３つの行動は、第１ネットワーク１１０の関与なく行うことが可能であり、例えばアイドルモードにおけるページングの損失の防止、アクティブモードにおけるデータの損失の防止、アイドルモードからアクティブモードへの遷移時間の削減、ハンドオーバ遅延の削減、セル検索遅延の削減、ハンドオーバ不具合の削減など、ネットワーク関連サービスの品質に良い効果がある。
【００２５】
図３は、ユーザ機器１００に備えられた無線受信部を処理する他の実施形態における方法を示している。このシナリオにおいて、ユーザ機器１００は、ネットワークノード１３０の関与によって、無線受信部のアクティビティレベルを調節する。受信部のアクティビティレベルは、この例では、ネットワークノード１３０によってユーザ機器１００に割り当てられたＤＲＸサイクル長で表す。この方法は以下のステップを含む。
【００２６】
３０１．このステップでは、ユーザ機器１００が電池の電力消費の変化を検出する。例えば、ユーザ機器１００における第１のローカルサービスの使用をユーザが開始すると、この使用によってユーザ機器の電池の電力消費が増加する。実施形態によっては、ユーザ機器１００は、電池の電力消費の変化が所定の閾値を超えた時を検出することによって、この増加を検出することができる。
【００２７】
３０２．ステップ３０１におけるローカルサービスの使用によって引き起こされた電池の電力消費の増加に応じて、ユーザ機器１００はネットワークノード１３０へメッセージを送信することができる。このメッセージは、ユーザ機器１００の目下の電池の電力消費を含んでおり、それに応じてユーザ機器１００における無線受信部のアクティビティが増加することなどを示す。
【００２８】
３０３．ネットワークノード１３０がユーザ機器１００からのメッセージを受信する。ユーザ機器１００における電池の電力消費が変化し、ユーザ機器の無線受信部のアクティビティが増加することなどを、このメッセージはネットワークノード１３０に通知する。このステップでは、ネットワークノード１３０は、ユーザ機器１００における電池の第１特定電力消費を第１受信部アクティビティレベルに関連させる。これについては、例えばユーザ機器の電池の電力消費の変化に関連してＤＲＸサイクル長を調節すると判定することによって行うことができる。
【００２９】
３０４．このステップでは、使用する調整後のＤＲＸサイクル長を含むメッセージを、ネットワークノード１３０がユーザ機器１００へ送信する。すなわち、メッセージは、調整したＤＲＸサイクルを使用してユーザ機器の無線受信部のアクティビティレベルを変化させる命令をさらに含む。
【００３０】
３０５．ユーザ機器１００が無線受信部のアクティビティレベルを調節し、調節したＤＲＸサイクル長の使用を開始する。例えば、無線受信部のアクティビティが増加すれば、ユーザ機器１００は、ユーザ機器１００の電池から追加電力を全くまたはほとんど消費せずに、例えば１）セルの同期または再同期、２）サービングセルおよびネイバリングセルのダウンリンク測定、３）ドップラ推定、および／または４）オンラインサービスのパフォーマンスを改善する機会が与えられる。上記４つの行動は、第１ネットワーク１１０の関与なく行うことが可能であり、例えばアイドルモードにおけるページングの損失の防止、アクティブモードにおけるデータの損失の防止、アイドルモードからアクティブモードへの遷移時間の削減、ハンドオーバ遅延の削減、セル検索遅延の削減、ハンドオーバ不具合の削減など、ネットワーク関連サービスの品質に良い効果がある。
【００３１】
図４は、ユーザ機器１００に備えられた無線受信部を処理するいくつかの他の実施形態に係る方法を示している。このシナリオにおいて、ユーザ機器１００は、第１の事前設定の受信部アクティビティレベルから第２の事前設定の受信部アクティビティレベルへ調節することによって、無線受信部のアクティビティレベルを調節する。第１の受信部アクティビティレベルは、この例では第１の事前設定のＤＲＸサイクル長で表し、第２の受信部アクティビティレベルは、この例では第２の事前設定のＤＲＸサイクル長で表す。第１および第２のＤＲＸサイクル長は、ネットワークノード１３０によってユーザ機器１００に関連させることができる。この方法は以下のステップを含む。
【００３２】
４０１．このステップでは、ネットワークノード１３０が、ユーザ機器１００における第１特定電池電力消費を第１の受信部アクティビティレベルに関連させ、ユーザ機器１００における第２特定電池電力消費を第２の受信部アクティビティレベルに関連させる。第１および第２の受信部アクティビティレベルは、それぞれ第１および第２のＤＲＸサイクル長で表す。
【００３３】
４０２．ネットワークノード１３０は、第１および第２のＤＲＸサイクル長を含むメッセージを、第１特定電池電力消費に関連する第１のＤＲＸサイクル長と第２特定電池電力消費に関連する第２のＤＲＸサイクル長とを使用させる命令とともにユーザ機器１００へ送信する。
【００３４】
４０３．メッセージを受信すると、ユーザ機器１００は、第１特定電池電力消費を使用する際に第１のＤＲＸサイクル長を調節し、第２特定電池電力消費を使用する際に第２のＤＲＸサイクル長を調節するものとされる。
【００３５】
４０４．例えば、ユーザ機器１００における第１のローカルサービスの使用をユーザが開始すると、この使用によって、ユーザ機器における第１電池電力消費から第２電池電力消費への変化が起きる。このステップでは、ユーザ機器１００が上記電池電力消費の変化を検出する。これについては、電池の電力消費の変化が所定の閾値を超えたことを検出することによって行うことができる。
【００３６】
４０５．ユーザ機器１００は、電池電力消費の変化を示すメッセージをネットワークノード１３０へ送信する。ユーザ機器１００は、第１の事前設定のＤＲＸサイクル長から第２の事前設定のＤＲＸサイクル長へ調節しようとしていることを、ネットワークノード１３０に通知する。
【００３７】
４０６．メッセージをネットワークノード１３０へ送信後、ユーザ機器１００は、所定の時間だけ待機し、その後に第１の事前設定のＤＲＸサイクル長から第２の事前設定のＤＲＸサイクル長へ切り替えることによって、受信部のアクティビティレベルを調節するものとすることができる。ユーザ機器１００が所定の時間だけ待機することによって、ネットワークノード１３０およびユーザ機器１００が、同時点に第２のＤＲＸサイクル長を調節することが可能となる。
【００３８】
４０７．電池の電力消費が増加するため、ある時点にユーザ機器１００が第１のＤＲＸサイクル長から第２のＤＲＸサイクル長へ変化させようとしていることを示すメッセージを、ネットワークノード１３０がユーザ機器１００から受信する。そして、ネットワークノード１３０は、ユーザ機器１００へ信号を送信する必要なく、好ましくはユーザ機器１００が第２のＤＲＸサイクル長へ調節するのと同時点に、第１のＤＲＸサイクル長から第２のＤＲＸサイクル長へ切り替えることによって調節を行う。第２のＤＲＸサイクル長が第１のＤＲＸサイクル長よりも短ければ、ユーザ機器１００における無線受信部のアクティビティは増加することになる。無線受信部のアクティビティが増加すれば、ユーザ機器１００は、ユーザ機器１００の電池から追加電力を全くまたはほとんど消費せずに、例えば１）セルの同期または再同期、２）サービングセルおよびネイバリングセルのダウンリンク測定、３）ドップラ推定、および／または４）オンラインサービスのパフォーマンスを改善する機会が与えられる。上記４つの行動は、第１ネットワーク１１０の関与なく行うことが可能であり、例えばアイドルモードにおけるページングの損失の防止、アクティブモードにおけるデータの損失の防止、アイドルモードからアクティブモードへの遷移時間の削減、ハンドオーバ遅延の削減、セル検索遅延の削減、ハンドオーバ不具合の削減など、ネットワーク関連サービスの品質に良い効果がある。
【００３９】
図５は、ユーザ機器１００に備えられた無線受信部を処理するいくつかの他の実施形態に係る方法を示している。このシナリオにおいて、ユーザ機器１００は、無線受信部の第１のアクティビティレベルから第２のアクティビティレベルへ調節することによって、ネットワーク関連サービスのパフォーマンスを改善する。受信部のアクティビティレベルは、第１ネットワーク１１０に含まれたネットワークノード１３０によってユーザ機器１００に割り当てられたＤＲＸサイクル長で表す。ＤＲＸサイクル長は、第２ネットワーク１４０によってユーザ機器１００に提供されるオンラインサービスの使用によるユーザ機器の電池の電力消費に基づく。この方法は以下のステップを含む。
【００４０】
５０１．このステップでは、ユーザ機器１００は、ネットワークノード１３０に接続され、例えば音声、インターネットアクセス、ビデオストリーミング、オンラインゲーム、位置情報などのＷＣＤＭＡユニキャストサービスのような第１のオンラインサービスを使用する。
【００４１】
５０２．ユーザ機器１００が第１のサービスを使用中、ユーザ機器１００は、例えばＤＶＢ−Ｈサービスなど、第２ネットワーク１４０からの第２のオンラインサービスを使用させる要求も行う。したがって、ユーザ機器１００は、例えばＤＶＢ−Ｈ（すなわちブロードキャストサービス）およびユニキャスト（例えば通話、インターネットアクセス、電子メールなど）など、２つの異なるネットワークによって異なるキャリアで提供された２つの独立したオンラインサービスをここで使用する。
【００４２】
５０３．ユーザ機器１００が第２のサービスの使用を開始すると、第２ネットワーク１４０はネットワークノード１３０へメッセージを送信する。このメッセージは、ユーザ機器の電池の電力消費を変化させる第２のサービスの使用を示す。
【００４３】
５０４．ネットワークノード１３０が第２ネットワーク１４０からのメッセージを受信する。第２のオンラインサービスの使用のため、ユーザ機器１００における電池の電力消費が変化したことと、それに応じてユーザ機器の無線受信部のアクティビティが調整されることなどを、このメッセージがネットワークノード１３０に通知する。ネットワークノード１３０は、ユーザ機器１００の電池の電力消費の変化に調節されたＤＲＸサイクル長を使用すると判定する。
【００４４】
５０５．このステップにおいて、判定したＤＲＸサイクル長を含むメッセージを、ネットワークノード１３０がユーザ機器１００へ送信する。このメッセージは、判定したＤＲＸサイクルを使用してユーザ機器の無線受信部のアクティビティを調節させる命令をさらに含む。
【００４５】
５０６．このステップにおいて、判定したＤＲＸサイクル長と、無線受信部のアクティビティを変化させる命令とを含むメッセージを、ネットワークノード１３０からユーザ機器１００が受信する。ユーザ機器１００は、判定したＤＲＸサイクル長の使用を開始することによって、無線受信部のアクティビティレベルを調節する。例えば、判定したＤＲＸサイクル長がより短いＤＲＸサイクル長を含む場合、無線受信部のアクティビティは増加し、ユーザ機器１００は、ユーザ機器１００の電池から追加電力を全くまたはほとんど消費せずに、例えば１）セルの同期または再同期、２）サービングセルおよびネイバリングセルのダウンリンク測定、３）ドップラ推定、および／または４）オンラインサービスのパフォーマンスを改善する機会が与えられる。上記４つの行動は、第１ネットワーク１１０の関与なく行うことが可能であり、例えばアイドルモードにおけるページングの損失の防止、アクティブモードにおけるデータの損失の防止、アイドルモードからアクティブモードへの遷移時間の削減、ハンドオーバ遅延の削減、セル検索遅延の削減、ハンドオーバ不具合の削減など、ネットワーク関連サービスの品質に良い効果がある。
【００４６】
ここで、図６に示すフローチャートを参照しながら、ユーザ機器１００に備えられた無線受信部を処理するユーザ機器１００における方法ステップを説明する。実施形態によっては、ユーザ機器１００に備えられたオペレーティングシステムによって、この方法における方法ステップを行うことができる。この方法は以下のステップを含む。
【００４７】
６０１．いくつかの実施形態によれば、ユーザ機器１００は、このステップにおいて、第１ネットワーク１１０に含まれるネットワークノード１３０から少なくとも２つの事前設定のＤＲＸサイクル長を受信する。少なくとも２つの事前設定のＤＲＸサイクル長は、第１の事前設定のＤＲＸサイクル長と第２の事前設定のＤＲＸサイクル長とを含む。
【００４８】
６０２．ユーザ機器１００は、ユーザ機器１００における電池の電力消費の変化を検出する。実施形態によっては、電池の電力消費の変化が所定の閾値を超えると、ユーザ機器１００が電池の電力消費における変化を検出するものとすることができる。実施形態によっては、ユーザ機器１００がローカルサービスを行うものとされる場合、ユーザ機器１００は、ローカルサービスのアクティビティにおける変化を検出することによって、このステップを行う。
【００４９】
６０３．実施形態によっては、ユーザ機器１００は、変化を示す情報を含むメッセージをネットワークオード１３０へ送信することがある。実施形態によっては、この情報は電池の電力消費に関するものである。このメッセージは、ユーザ機器１００によって判定された提案ＤＲＸサイクル長をさらに含む。ステップ６０１が行われた実施形態では、この情報は、電池の電力消費の変化に基づいて第１のＤＲＸサイクル長から第２のＤＲＸサイクル長へ変化させる要求に関する。実施形態によっては、ユーザ機器１００は、アップリンク送信を待機することによって、ネットワークノード１３０へメッセージを送信することができる。
【００５０】
６０４．実施形態によっては、ユーザ機器１００は、ネットワークノード１３０からのメッセージを受信することがある。このメッセージは、例えば、ステップ６０３においてユーザ機器１００によって提供された情報に基づくネットワークノード１３０からの調整したＤＲＸサイクル長を含んだものとすることができる。実施形態によっては、ステップ６０３において要求が送信された場合、メッセージは、上記要求の受入と、第１の事前設定のＤＲＸサイクル長から第２のＤＲＸ事前設定のＤＲＸサイクル長へ切り替えさせる命令とを含んだものとすることができる。実施形態によっては、ステップ６０３において要求が送信された場合、メッセージは上記要求の拒否を含んだものとすることも可能である。
【００５１】
６０５．このステップは、実施形態によっては、ステップ６０２を行った直後に行うものとすることができる。ユーザ機器１００は、検出した電池の電力消費の変化に基づいて無線受信部のアクティビティレベルを調節する。ユーザ機器１００は、ステップ６０４において行われたネットワークノード１３０によって受信された修正ＤＲＸサイクル長に基づいて受信部のアクティビティレベルを調節することもできる。別の実施形態では、ユーザ機器１００は、ステップ６０１においてネットワークノード１３０から受信した少なくとも２つの事前設定のＤＲＸサイクル長のうちの１つを切り替えることによって、受信部のアクティビティレベルを調節することも可能である。実施形態によっては、ステップ６０２で行われた検出したユーザ機器１００の電池の電力消費の変化は電池の電力消費の減少で表されることもある。かかる実施形態では、受信部のアクティビティレベルを調節するステップによって、上記ＤＲＸサイクル長が増加する。本発明の実施形態によっては、ステップ６０２で行われた検出したユーザ機器１００の電池の電力消費の変化は電池の電力消費の増加で表されることもある。かかる実施形態では、受信部のアクティビティレベルを調節するステップによって、上記ＤＲＸサイクル長が減少する。
【００５２】
ここで図７にしたがって、ユーザ機器１００における無線受信部７１０を処理する方法ステップを行うユーザ機器１００を説明する。
【００５３】
ユーザ機器１００は無線受信部７１０を備える。無線受信部７１０は、無線リンク１２０によって第１ネットワーク１１０からの信号を受信するものとされる。無線受信部７１０は、そのアクティビティレベルを調節して、ユーザ機器１００における電池７１０の電池消費を節約するものとされる。実施形態によっては、無線受信部７１０は、無線リンク１４５によって第２ネットワーク１４０からの信号を受信するものとされる。無線受信部７１０は、さらに、ネットワークノード１３０から少なくとも２つの事前設定のＤＲＸサイクル長を受信するものとすることも可能である。少なくとも２つの事前設定のＤＲＸサイクル長は、第１の事前設定のＤＲＸサイクル長と第２の事前設定のＤＲＸサイクル長を含むものとすることができる。実施形態によっては、無線受信部７１０は、さらに、ユーザ機器によって提供された電池の電力消費についての情報に基づいて調節したＤＲＸサイクル長をネットワークノード１３０から受信するものとすることができる。実施形態によっては、無線受信部７１０は、さらに、第１の事前設定のＤＲＸサイクル長から第２の事前設定のＤＲＸサイクル長へ切り替えさせる命令を含む受入メッセージを、ネットワークノード１３０から受信するものとすることもできる。無線受信部７１０は、さらに、要求された第１のＤＲＸサイクル長から第２のＤＲＸサイクル長への切り替えの拒否を含むメッセージを、ネットワークノード１３０から受信するものとすることもできる。
【００５４】
ユーザ機器１００は、ユーザ機器１００における電池の電力消費の変化を検出する検出部７２０をさらに備える。実施形態によっては、検出部７２０は、電池の電力消費における変化が所定の閾値を超えると、電池消費における変化を検出することができる。検出部７２０は、ローカルサービスのアクティビティにおける変化を検出することによって、電池の電力消費における変化を検出するものとすることもできる。実施形態によっては、検出部は、さらに、減少または増加で表される電池の電力消費の変化を検出するものとされる。
【００５５】
ユーザ機器１００は送信部７３０をさらに備える。送信部７３０は、電池の電力消費の変化を示す情報を含むメッセージをネットワークノード１３０へ送信するものとされる。実施形態によっては、送信部７３０は、さらに、検出した電池の電力消費の変化に基づくＤＲＸサイクル長の変化を示すメッセージをネットワークノード１３０へ送信するものとされる。かかる実施形態において、このメッセージは、ユーザ機器１００によって判定された提案ＤＲＸサイクル長をさらに含むこともできる。送信部７３０は、アップリンク送信を待機することによって、メッセージをネットワークノード１３０へ送信するものとすることも可能である。
【００５６】
ユーザ機器１００は調節部７４０をさらに含む。調節部７４０は、検出した電池の電力消費の変化に基づいて無線受信部７１０のアクティビティレベルを調節するものとされる。調節部は、さらに、調節したＤＲＸサイクル長に基づいて受信部のアクティビティレベルを調節するものとされる。実施形態によっては、調節部７４０は、さらに、ネットワークノード１３０から受信された少なくとも２つの事前設定のＤＲＸサイクル長のうちの１つを切り替えることによって、受信部のアクティビティレベルを調節するものとされる。調節部７４０は、さらに、受信部のアクティビティレベルを調節して、上記ＤＲＸサイクル長を増加させたり、減少させたりするものとすることも可能である。
【００５７】
実施形態によっては、ユーザ機器１００はオペレーティングシステム７５０をさらに備える。オペレーティングシステム７５０は、電池の電力消費における変化をユーザ機器１００へモニタするものとされる。
【００５８】
実施形態によっては、ユーザ機器１００は、例えばＭＰ３プレーヤ、デジタルカメラ、ラジオ、ワードプロセッサ、アドバンストカルキュレータ、オフラインゲームなどのローカルサービス７６０を備える。
【００５９】
ここで図８に示すフローチャートを参照しながら、ユーザ機器１００に備えられた無線受信部７１０を処理するネットワークノード１３０における方法ステップを説明する。方法は以下のステップを含む。
【００６０】
８０１．いくつかの実施形態によれば、ネットワークノード１３０は、このステップにおいて、ユーザ機器１００からのメッセージを受信することができる。このメッセージは、ユーザ機器１００の第１特定電池電力消費についての情報を含む。
【００６１】
８０２．このステップにおいて、ネットワークノード１３０は、ユーザ機器１００における電池の第１特定電力消費を第１受信部アクティビティレベルに関連させる。
【００６２】
８０３．このステップにおいて、ネットワークノード１３０は、第１受信部アクティビティレベルに関連する第１特定電力消費についての情報をユーザ機器１００へ送信する。このステップで送信される情報は、ユーザ機器１００に第１受信部アクティビティレベルを使用させる命令を含むことができる。
【００６３】
８０４．いくつかの実施形態によれば、ネットワークノード１３０は、ユーザ機器１００における電池の第２特定電力消費を第２受信部アクティビティレベルに関連させることができる。
【００６４】
８０５．実施形態によっては、ステップ８０４が行われた場合、第２受信部アクティビティレベルに関する電池の第２特定電力消費についての情報を、ネットワークノード１３０がユーザ機器１００へ送信する。
【００６５】
８０６．実施形態によっては、ステップ８０５が行われた場合、ネットワークノード１３０は、ユーザ機器１００における電池の電力消費が第１特定電池電力消費から第２特定電池電力消費へ変化することを示すメッセージを受信することができる。このメッセージは、無線受信部７１０の第１アクティビティレベルから無線受信部７１０の第２アクティビティレベルへ変化させる要求をさらに含むことができる。実施形態によっては、ユーザ機器１００が第２ネットワーク１４０におけるサービスを使用する場合、上記メッセージは、このステップにおいて、第２ネットワーク１４０から受信されるものとすることも可能である。
【００６６】
８０７．実施形態によっては、ステップ８０６において要求が受信された場合、ネットワークノード１３０がユーザ機器１００へメッセージを送信することができる。このメッセージは、第２特定電池電力消費に関連する第２受信部アクティビティレベルを使用させる命令を含むことができる。実施形態によっては、このメッセージは、上記要求の拒否を含むことも可能である。
【００６７】
８０８．ネットワークノード１３０は、第１特定電池電力消費に関連する第１受信部アクティビティレベルから第２特定電池電力消費に関連する第２受信部アクティビティレベルへ調節することができる。
【００６８】
ここで図９を参照しながら、ユーザ機器１００における無線受信部７１０を処理する方法ステップを行うネットワークノード１３０を説明する。
【００６９】
ネットワークノード１３０は、メッセージを受信する受信部９１０を備える。実施形態によっては、受信部９１０は、ユーザ機器１００の特定電池電力消費についての情報を含むメッセージをユーザ機器１００から受信するものとすることができる。実施形態によっては、受信部９１０はユーザ機器１００からのメッセージを受信するものとされ、このメッセージは、ユーザ機器１００における電池の電力消費が第１特定電池電力消費から第２特定電池電力消費へ変化するという情報を含む。本発明の実施形態によっては、ユーザ機器１００が第２ネットワーク１４０におけるサービスを使用する場合、受信部９１０は、第２ネットワーク１４０からのメッセージを受信するものとすることが可能であり、このメッセージは、ユーザ機器１００における電池の電力消費が第２特定電池電力消費を使用しているという情報を含む。
【００７０】
ネットワーク１３０ノードは、ユーザ機器１００における電池の第１特定電力消費を第１受信部アクティビティレベルに関連させる関連部９２０をさらに備える。いくつかの実施形態によれば、関連部９２０は、さらに、ユーザ機器１００における電池の第２特定電力消費を第２受信部アクティビティレベルに関連させるものとされる。
【００７１】
ネットワークノード１３０は、第１受信部アクティビティレベルに関連する電池の第１特定電力消費についての情報をユーザ機器１００へ送信する送信部９３０をさらに備える。いくつかの実施形態によれば、送信部９３０によって送信された情報は、第１受信部アクティビティレベルを使用させる命令をさらに含むことができる。送信部９３０は、さらに、第２受信部アクティビティレベルに関連する電池の第２特定電力消費についての情報をユーザ機器１００へ送信するものとすることも可能である。
【００７２】
ネットワークノード１３０は、第１受信部アクティビティレベルから第２受信部アクティビティレベルへ調節する調節部９４０をさらに備えたものとすることもできる。
【００７３】
「comprise（含む、備える）」または「comprising（含む、備える）」という言葉を使用した場合は、非限定的に、「少なくとも〜からなる」という意味で解釈されたい。
【００７４】
本発明は上述の実施形態に限定されるものではない。様々な変更、修正、均等物を使用することが可能である。したがって、上述の実施形態は、本発明の範囲を限定するものとして理解すべきではなく、本発明の範囲は添付の特許請求の範囲によって限定されるものである。
【図１】
2011510557.tif 000003
【図２】
2011510557.tif 000004
【図３】
2011510557.tif 000005
【図４】
2011510557.tif 000006
【図５】
2011510557.tif 000007
【図６】
2011510557.tif 000008
【図７】
2011510557.tif 000009
【図８】
2011510557.tif 000010
【図９】
2011510557.tif 000011
【手続補正書】
【提出日】平成21年10月8日(2009.10.8)
【手続補正１】
【補正対象書類名】特許請求の範囲
【補正対象項目名】全文
【補正方法】変更
【補正の内容】
【特許請求の範囲】
【請求項１】
ユーザ機器（１００）に備えられた無線受信部（７１０）を処理する前記ユーザ機器（１００）における方法であって、前記無線受信部（７１０）は無線リンク（１２０）によって第１ネットワーク（１１０）からの信号を受信し、前記ユーザ機器（１００）は電池（７１５）を備え、
前記ユーザ機器（１００）における前記電池（７１５）の増加した電力消費を検出するステップと、
検出した前記電池の電力消費の増加に基づいて受信部アクティビティレベルを増加させるステップと
を含む方法。
【請求項２】
前記電池の電力消費の増加が所定の閾値を超えると、電池消費の増加が検出される、請求項１に記載の方法。
【請求項３】
前記ユーザ機器（１００）はローカルサービス（７６０）を使用し、前記電池の電力消費の増加を検出するステップは、前記ローカルサービス（７６０）のアクティビティにおける変化を検出することで表される、請求項１に記載の方法。
【請求項４】
前記ユーザ機器（１００）は第２ネットワーク（１４０）に接続され、前記ユーザ機器（１００）は、第２ネットワーク（１４０）によって提供される少なくとも１つのオンラインサービスを使用しており、前記検出するステップは、前記少なくとも１つのオンラインサービスの使用における変化を検出することで表される、請求項１に記載の方法。
【請求項５】
前記電池の電力消費の増加は、前記ユーザ機器（１００）において、前記ユーザ機器（１００）に備えられたオペレーティングシステム（７５０）によってモニタされる、請求項２〜４のいずれか１項に記載の方法。
【請求項６】
前記受信部アクティビティレベルは、前記第１ネットワーク（１１０）に含まれたネットワークノード（１３０）によって割り当てられた不連続受信（ＤＲＸ）サイクル長で表され、
前記電池の電力消費の増加を示す情報を含むメッセージを前記ネットワークノード（１３０）へ送信するステップと、
前記情報に基づいて前記ネットワーク（１３０）から調節されたＤＲＸサイクル長を受信するステップであって、前記受信部アクティビティレベルを調節するステップは前記調節されたＤＲＸサイクル長に基づいたものであるステップと
をさらに含む、請求項１〜５のいずれか１項に記載の方法。
【請求項７】
前記メッセージは、前記ユーザ機器（１００）によって判定された提案ＤＲＸサイクル長をさらに含む、請求項６に記載の方法。
【請求項８】
前記調節するステップは、前記受信部アクティビティレベルが前記ＤＲＸサイクル長の減少となる、請求項６〜７のいずれか１項に記載の方法。
【請求項９】
前記ネットワークノード（１３０）へメッセージを送信するステップはアップリンク送信を待機する、請求項６〜７のいずれか１項に記載の方法。
【請求項１０】
前記受信部アクティビティレベルは不連続受信（ＤＲＸ）サイクル長で表され、
第１の事前設定のＤＲＸサイクル長と第２の事前設定のＤＲＸサイクル長とを含む少なくとも２つの事前設定のＤＲＸサイクル長を、前記検出するステップの前に前記ネットワークノード（１３０）から受信するステップと、
前記電池の電力消費の変化を示す情報を含むメッセージを前記ネットワークノード（１３０）へ送信するステップと
をさらに含む、請求項１〜５のいずれか１項に記載の方法。
【請求項１１】
前記調節するステップは、少なくとも２つの事前設定のＤＲＸサイクル長のうちの１つへ切り替えることによって行われる、請求項１０に記載の方法。
【請求項１２】
前記メッセージは、第１のＤＲＸサイクル長から第２のＤＲＸサイクル長へ切り替えさせる要求をさらに含み、
前記要求の拒否を含むメッセージを前記ネットワークノード（１３０）から受信するステップ
をさらに含む、請求項１０に記載の方法。
【請求項１３】
前記メッセージは、前記第１のＤＲＸサイクル長から前記第２のＤＲＸサイクル長へ切り替えさせる要求をさらに含み、
前記調節するステップの前に行われるステップであり、前記第１の事前設定のＤＲＸサイクル長から前記第２の事前設定のＤＲＸサイクル長へ切り替えさせる命令を含む受入メッセージを前記ネットワークノード（１３０）から受信するステップ
をさらに含む、請求項１０〜１１のいずれか１項に記載の方法。
【請求項１４】
ユーザ機器（１００）における無線受信部（７１０）を処理するネットワーク（１００）に含まれたネットワークノード（１３０）における方法であって、前記ネットワークノード（１３０）および前記ユーザ機器（１００）は無線通信ネットワークに含まれており、
前記ユーザ機器（１００）における電池（７１５）の第１電力消費を第１受信部アクティビティレベルに関連させるステップと、
前記ユーザ機器（１００）における電池（７１５）の第２電力消費を第２受信部アクティビティレベルに関連させるステップと、
前記ユーザ機器（１００）の前記第１受信部アクティビティレベルに関連する電池（７１５）の前記第１電力消費についての情報を送信するステップと、
前記第２受信部アクティビティレベルに関連する前記電池（７１５）の前記第２電力消費についての情報を前記ユーザ機器（１００）へ送信するステップと
を含む方法。
【請求項１５】
前記ユーザ機器（１００）における電池の電力消費が前記第１電池電力消費から前記第２電池電力消費へ変化することを示す情報を含むメッセージを、前記ユーザ機器（１００）から受信するステップをさらに含む、請求項１４に記載の方法。
【請求項１６】
前記第２電池電力消費に関連する前記第２受信部アクティビティレベルへ調節するステップをさらに含む、請求項１４〜１５のいずれか１項に記載の方法。
【請求項１７】
前記メッセージは、前記受信部アクティビティレベルを前記第１受信部アクティビティレベルから前記第２受信部アクティビティレベルへ変化させる要求をさらに含み、
前記調節するステップの前に行われるステップであって、前記要求の拒否を前記ユーザ機器（１００）へ送信するステップをさらに含む、請求項１４〜１６のいずれか１項に記載の方法。
【請求項１８】
前記メッセージは、前記受信部アクティビティレベルを前記第１受信部アクティビティレベルから前記第２受信部アクティビティレベルへ変化させる要求をさらに含み、
前記ユーザ機器（１００）に命令して、前記第２電池電力消費に関連する前記第２受信部アクティビティレベルを使用させるステップをさらに含む、請求項１４〜１７のいずれか１項に記載の方法。
【請求項１９】
無線受信部（７１０）を備えるユーザ機器（１００）であって、前記無線受信部（７１０）は、無線リンクによって第１ネットワーク（１１０）に含まれたネットワークノード（１３０）からの信号を受信し、
前記ユーザ機器（１００）の電池（７１５）の電力消費の増加を検出する検出部（７２０）と、
検出した前記電池の電力消費の増加に基づいて受信部アクティビティレベルを増加させる調節部（７４０）と
を備えるユーザ機器（１００）。
【請求項２０】
前記受信部アクティビティレベルは、前記ネットワークノード（１３０）によって割り当てられたＤＲＸサイクル長で表され、
前記電池の電力消費の増加を示す情報を含むメッセージを前記ネットワークノード（１３０）へ送信する送信部（７３０）と、
前記情報に基づいて前記ネットワークノード（１３０）から調節されたＤＲＸサイクル長を受信する受信部（７１０）と
をさらに備え、
前記調節部（７４０）は、さらに、調節された前記ＤＲＸサイクル長に基づいて前記受信部アクティビティレベルを調節する、請求項１９に記載のユーザ機器（１００）。
【請求項２１】
前記受信部アクティビティレベルはＤＲＸサイクル長で表され、前記無線受信部（７１０）は、さらに、第１の事前設定のＤＲＸサイクル長と第２の事前設定のＤＲＸサイクル長とを含む少なくとも２つの事前設定のＤＲＸサイクル長を受信する、請求項１９〜２０のいずれか１項に記載のユーザ機器（１００）。
【請求項２２】
前記調節部（７４０）は、前記少なくとも２つの事前設定のＤＲＸサイクル長のうちの１つへ切り替えることによって、前記受信部アクティビティレベルを調節する、請求項２１に記載のユーザ機器。
【請求項２３】
前記ネットワークノード（１３０）への前記メッセージは、前記第１の事前設定のＤＲＸサイクル長から前記第２のＤＲＸサイクル長へ切り替えさせる要求をさらに含み、前記無線受信部（７１０）は前記ネットワークノード（１３０）からのメッセージを受信し、前記ネットワークノード（１３０）からの前記メッセージは前記要求の拒否を含む、請求項２１に記載のユーザ機器（１００）。
【請求項２４】
前記ネットワークノード（１３０）への前記メッセージは、前記第１の事前設定のＤＲＸサイクル長から前記第２のＤＲＸサイクル長さへ切り替えさせる要求をさらに含み、前記無線受信部（７１０）は前記ネットワークノード（１３０）から受入メッセージを受信し、前記ネットワークノード（１３０）からの前記メッセージは、前記第１の事前設定のＤＲＸサイクル長から前記第２のＤＲＸサイクル長へ切り替えさせる命令を含む、請求項２１〜２２のいずれか１項に記載のユーザ機器（１００）。
【請求項２５】
ユーザ機器（１００）における無線受信部（７１０）を処理するネットワークノード（１３０）であって、前記ネットワークノード（１３０）および前記ユーザ機器（１００）は無線通信ネットワークに含まれており、
前記ユーザ機器（１００）における電池（７１５）の第１電力消費を第１受信部アクティビティレベルに関連させ、前記ユーザ機器（１００）における前記電池の増加した第２電力消費を、増加した第２受信部アクティビティレベル関連させる関連部（９２０）と、
前記第１受信部アクティビティレベルに関連している電池の前記第１特定電力消費についての情報を前記ユーザ機器（１００）へ送信し、前記第２受信部アクティビティレベルに関連する前記電池（７１５）の前記第２電力消費についての情報を前記ユーザ機器（１００）へ送信する送信部（９３０）と
を備えるネットワークノード（１３０）。
【請求項２６】
前記受信部（９１０）は、さらに、前記ユーザ機器（１００）からメッセージを受信し、前記メッセージは、前記第１電池電力消費から前記第２電池電力消費への前記ユーザ機器（１００）の電池の電力消費の変化を示す情報を含み、
前記第１受信部アクティビティレベルから前記第２受信部アクティビティレベルへ調節する調節部（９４０）をさらに備える、請求項２５に記載のネットワークノード（１３０）。
【請求項２７】
前記ユーザ機器（１００）は第２ネットワーク（１４０）におけるサービスを使用し、前記受信部（９１０）は、さらに、前記第２ネットワーク（１４０）からのメッセージを受信し、前記メッセージは、前記ユーザ機器（１００）が前記第２電池電力消費を使用しているという情報を含み、前記送信部（９３０）は、さらに、前記第２電池電力消費に関連する前記第２受信部アクティビティレベルを前記ユーザ機器（１００）に使用させる命令を送信する、請求項２５に記載のネットワークノード（１３０）。
【国際調査報告】
2011510557.tif 000012
2011510557.tif 000013
2011510557.tif 000014
2011510557.tif 000015